(57)【要約】【課題】  製造工程がかなり簡易で、質量は軽く、広い用途を備えており、また、フィラメントの外側繊維は要求に応じて着色し、所望の外観色を直接表現することができ、着色しやすいという長所を備えた繊維製品を製造する。【解決手段】  本発明の繊維製品２０は、遮光剤と第１の人造繊維材料１６とを含むことにより遮光効果を備えている内側繊維２２と、第２の人造繊維材料１８を含み、内側繊維２２を包み込む外側繊維２４と、を備えている。繊維製品２０は、紡績ノズル１０の内管１２から内側繊維２２を吐出するとともに、内管１２を覆うように設けられている外管１４から外側繊維２４を吐出することで、第２の人造繊維材料１８を含む外側繊維２４で、遮光剤と第１の人造繊維材料１６とを含むことにより遮光効果を備えている内側繊維２２を包み込むことにより製造される。【選択図】      図１
2011106081.tif 000002
【特許請求の範囲】
【請求項１】
遮光剤と第１の人造繊維材料とを含み、遮光効果を備えている内側繊維と、
第２の人造繊維材料を含み、前記内側繊維を包み込む外側繊維と、
を備えたことを特徴とする繊維製品。
【請求項２】
前記第１の人造繊維材料と前記第２の人造繊維材料との比率が５ないし９５％の間であることを特徴とする請求項１に記載の繊維製品。
【請求項３】
前記内側繊維が第１の人造繊維材料を複数含むことを特徴とする請求項１に記載の繊維製品。
【請求項４】
前記遮光剤がカーボンブラックまたは酸化チタンであることを特徴とする請求項１に記載の繊維製品。
【請求項５】
前記第１の人造繊維材料および前記第２の人造繊維材料が同じ材質であることを特徴とする請求項１に記載の繊維製品。
【請求項６】
前記第１の人造繊維材料および前記第２の人造繊維材料がナイロン繊維であることを特徴とする請求項１に記載の繊維製品。
【請求項７】
前記第１の人造繊維材料および前記第２の人造繊維材料がポリエステル繊維であることを特徴とする請求項１に記載の繊維製品。
【請求項８】
前記第１の人造繊維材料と前記第２の人造繊維材料とが異なる材質であることを特徴とする請求項１に記載の繊維製品。
【請求項９】
前記第１の人造繊維材料がポリエステル繊維であり、前記第２の人造繊維材料がナイロン繊維であることを特徴とする請求項１に記載の繊維製品。
【請求項１０】
前記第１の人造繊維材料がナイロン繊維であり、前記第２の人造繊維材料がポリエステル繊維であることを特徴とする請求項１に記載の繊維製品。
【請求項１１】
フィラメントであることを特徴とする請求項１に記載の繊維製品。
【請求項１２】
前記フィラメントで製造された布帛であることを特徴とする請求項１１に記載の繊維製品。
【請求項１３】
前記外側繊維が色素を含むことを特徴とする請求項１に記載の繊維製品。
【請求項１４】
紡績ノズルの内管から内側繊維を吐出するとともに、前記内管を覆うように設けられている外管から外側繊維を吐出することで、第２の人造繊維材料を含む前記外側繊維で、遮光剤と第１の人造繊維材料とを含むことにより遮光効果を備えている前記内側繊維を包み込むことを特徴とする繊維製品の製造方法。
【請求項１５】
前記第１の人造繊維材料と前記第２の人造繊維材料との比率が５ないし９５％の間であることを特徴とする請求項１４に記載の繊維製品の製造方法。
【請求項１６】
前記紡績ノズルが、前記外管の内側に設けられている複数本の内管を備えることで、前記外側繊維が複数本の前記内側繊維を包み込むことを特徴とする請求項１４に記載の繊維製品の製造方法。
【請求項１７】
前記遮光剤がカーボンブラックまたは酸化チタンを含むことを特徴とする請求項１４に記載の繊維製品の製造方法。
【請求項１８】
前記第１の人造繊維材料および前記第２の人造繊維材料が同じ材質であることを特徴とする請求項１４に記載の繊維製品の製造方法。
【請求項１９】
前記第１の人造繊維材料および前記第２の人造繊維材料がナイロン繊維であることを特徴とする請求項１４に記載の繊維製品の製造方法。
【請求項２０】
前記第１の人造繊維材料および前記第２の人造繊維材料がポリエステル繊維であることを特徴とする請求項１４に記載の繊維製品の製造方法。
【請求項２１】
前記第１の人造繊維材料と前記第２の人造繊維材料とが異なる材質であることを特徴とする請求項１４に記載の繊維製品の製造方法。
【請求項２２】
前記第１の人造繊維材料がポリエステル繊維であり、前記第２の人造繊維材料がナイロン繊維であることを特徴とする請求項１４に記載の繊維製品の製造方法。
【請求項２３】
前記第１の人造繊維材料がナイロン繊維であり、前記第２の人造繊維材料がポリエステル繊維であることを特徴とする請求項１４に記載の繊維製品の製造方法。
【請求項２４】
前記外側繊維が色素を含むことを特徴とする請求項１４に記載の繊維製品の製造方法。
【請求項２５】
染色工程をさらに含むことを特徴とする請求項１４に記載の繊維製品の製造方法。
【請求項２６】
内側繊維を吐出するように構成された少なくとも一本の内管と、
前記内管を覆うように設けられており、前記内側繊維を包み込む外側繊維を吐出するように構成された外管と、
を備えたことを特徴とする繊維の製造工具。
【請求項２７】
前記外管の内側に設けられている複数本の内管を備えることで、前記外側繊維が複数本の前記内側繊維を包み込むことを特徴とする請求項２６に記載の繊維の製造工具。
【発明の詳細な説明】
【技術分野】
【０００１】
本発明は人造繊維製品およびその製造方法に関し、特に着色しやすい繊維製品およびその製造方法に関する。
【背景技術】
【０００２】
遮光性布帛は、日傘の傘地、カーテンおよび衣料などに広く用いられる用途を備えている。遮光性布帛の従来の製造では、下地布に黒色遮光層を形成する以外に、発泡コート層、ライナー層または中間層を順次形成する必要があり、その製造工程はかなり複雑で、かつ製造された布帛は重くなり、その用途も限られていた。
【０００３】
また、従来技術では遮光性布帛の一方の面上に遮光樹脂層および化粧樹脂層を設けるが、この遮光樹脂層はラミネート法で布帛上に形成しなければならず、このラミネート法では布帛と一体化した遮光樹脂層を形成するのが難しく、その用途も限られていた。
【０００４】
また、従来技術では、下地上に黒色遮光層を形成しているため、黒色遮光層上にさらに薄めの色のコート層を形成しにくいことから、従来の遮光性布帛の多くは深めの色の布帛であった。もし薄めの色系の遮光性布帛を製造するならば、黒色遮光層上にカラー層を別途多層に塗布しなければ、黒色遮光層の背景色の効果を弱めることができず、製造工程がさらに複雑になっていた。
【発明の概要】
【発明が解決しようとする課題】
【０００５】
本発明の目的は着色しやすい繊維製品、製造工具および製造方法を提供するものである。
【課題を解決するための手段】
【０００６】
本発明の繊維製品の一実施例は、遮光剤と第１の人造繊維材料とを含むことにより遮光効果を備えている内側繊維と、第２の人造繊維材料を含み、前記内側繊維を包み込む外側繊維とを備えている。
【０００７】
本発明の繊維製品の製造方法の実施例は、紡績ノズルの内管から内側繊維を吐出するとともに、前記内管を覆うように設けられている外管から外側繊維を吐出することで、第２の人造繊維材料を含む前記外側繊維で、遮光剤と第１の人造繊維材料とを含むことにより遮光効果を備えている前記内側繊維を包み込むことを特徴としている。
【０００８】
本発明の繊維製品の製造工具の実施例は、内側繊維を吐出するように構成された少なくとも一本の内管と、前記内管を覆うように設けられており、前記内側繊維を包み込む外側繊維を吐出するように構成された外管と、を備えている。
【０００９】
上記では本発明の技術的特徴をかなり広汎に概略的に説明したが、下記の本発明の詳細な説明によりより一層の理解が得られるはずである。本発明の特許請求の標的を構成するその他技術的特徴は下記に記述する。本発明の技術分野の当業者であれば、下記に開示する技術的思想および特定の実施例を簡単に利用することで、その他構成または製造工程に変更または設計することで、本発明と同じ目的を達成できる。本発明の当業者であれば、これら等価の構造は添付する特許請求の範囲にて限定する技術的思想および範囲を逸脱することはできないということは理解するはずである。
【発明の効果】
【００１０】
従来の遮光性布帛の製造工程は複雑でしかも製造された布帛はかなり重かったことに比べると、本発明の遮光性布帛の製造工程はかなり簡易で、しかも質量は軽く、広い用途を備えている。また、前記フィラメントの前記外側繊維は要求に応じて着色し、所望の外観色を直接表現することができるので、本発明の繊維製品は着色しやすいという長所を備え、色彩が鮮やかで変化に富み、しかもしっかりと着色され色褪せしにくい布帛を製造することができる。
【図面の簡単な説明】
【００１１】
下記説明および図面を参照することにより、本発明の技術的特徴は完全に理解できる。
【図１】本発明の繊維製品およびその製造工具の立体断面図
【図２】本発明の繊維製品およびその製造工具の立体断面図
【図３】図１のフィラメントで製造した遮光性布帛を例示した図
【発明を実施するための形態】
【００１２】
図１および図２は本発明の繊維製品およびその製造工具（例えば紡績ノズル１０）の立体断面図である。本発明では紡糸装置の紡績ノズル１０を改変することにより、遮光効果を備えつつ着色しやすい繊維製品を製造することができる。図１を参照する。紡績ノズル１０は内管１２と、内管１２を覆うように設けられている外管１４とを備えており、内管１２内には遮光剤（例えばカーボンブラックまたは酸化チタン）と第１の人造繊維材料１６とを含むことで、遮光効果を備えており、外管１４内には第２の人造繊維材料１８を含んでいる。本発明では紡績ノズル１０の内管１２により内側繊維２２を吐出するとともに、外管１４から外側繊維２４を吐出することで、外側繊維２４で内側繊維２２を包み込み一本のフィラメント２０を形成する。
【００１３】
また、図２に示すように、本発明では紡績ノズル１０を改変することにより、これに三本の内管１２と内管１２を覆うように設けられている外管１４を備えさせることで、三本の内側繊維３２と一本の外側繊維３４とを含むフィラメント３０を製造することもできる。内側繊維３２は遮光剤（カーボンブラックまたは酸化チタン）と第１の人造繊維材料とを含むことにより遮光効果を備えている。外側繊維３４は第２の人造繊維材料を含んでいる。内管１２および外管１４の断面面積を調整することで、フィラメント２０の内側繊維２２と外側繊維２４との比率（例えば前記繊維製品２０において内側繊維２２が５０％、外側繊維２４が５０％を占める。内側繊維２２と外側繊維２４との比率は５ないし９５％の間であるのが好ましい）を改変することができる。
【００１４】
本発明の実施例においては、第１の人造繊維材料および第２の人造繊維材料は、例えば第１の人造繊維材料および第２の人造繊維材料のいずれもがナイロン繊維を、またはポリエステル繊維を採用するという具合に同じ材質とすることができる。本発明の他の実施例においては、第１の人造繊維材料および第２の人造繊維材料は、例えば第１の人造繊維材料がポリエステル繊維である一方で、第２の人造繊維材料がナイロン繊維であるか、または第１の人造繊維材料がナイロン繊維である一方で、第２の人造繊維材料がポリエステル繊維であるという具合に異なる材質とすることができる。
【００１５】
図３には図１のフィラメント２０で製造した遮光性布帛５０を例示している。本発明の実施例において、フィラメント２０の内側繊維２２は遮光効果を達成する一方で、外側繊維２４は要求に応じて着色し、所望の外観色を直接表現することができる。本発明の実施例においては、外側繊維２４の着色工程は、選択的に遮光性布帛５０を完成させた後、染色工程にて外側繊維２４を所望の色に染色してもよい。本発明の他の実施例においては、外側繊維２４の着色工程にて図１の外管１４に選択的に色素を加えて、フィラメント２０に所望の色を持たせて、さらに遮光性布帛５０を製造してもよい。
【００１６】
従来の遮光性布帛の製造工程は複雑でしかも製造された布帛はかなり重かったことに比べると、本発明の遮光性布帛５０の製造工程はかなり簡易で、しかも質量は軽く、広い用途を備えている。また、フィラメント２０の外側繊維２４は要求に応じて着色し、所望の外観色を直接表現することができるので、本発明の繊維製品は着色しやすいという長所を備え、色彩が鮮やかで変化に富み、しかもしっかりと着色され色褪せしにくい布帛を製造することができる。
【００１７】
本発明の技術内容および技術的長所は上記に開示したとおりであるが、本発明の技術分野の当業者であれば、添付する特許請求の範囲で限定する本発明の技術的思想および範囲を離れることなく、本発明の教示および開示で様々な置換および付加を行うことがきることは理解するはずである。例えば、上記開示の数々の製造工程は異なる方法で実施するか、またはその工程に置換するか、または上記二種類の方式を組み合わせることもできる。
【００１８】
また、本願の権利範囲は上記開示した特定の実施例の製造工程、設備、製造、物質の成分、装置、方法または手順に限定されるものではない。本発明の技術分野の当業者であれば、本発明で教示および開示する製造工程、設備、製造、物質の成分、装置、方法または手順に基づき、現時点で存在するもの、または後日開発されるものに関わらず、それが本願の実施例に開示するものと実質的に同一の方式で実質的に同一の効果が実現され、そして実質的に同一の結果が達成されるものも、本発明に使用できるものであることは理解するはずである。したがって、別紙の特許請求の範囲はこの類の製造工程、設備、製造、物質の成分、装置、方法または手順を含むよう用いられる。
【符号の説明】
【００１９】
１０  紡績ノズル
１２  内管
１４  外管
１６  第１の人造繊維材料
１８  第２の人造繊維材料
２０、３０  フィラメントまたは繊維製品
２２、３２  内側繊維
２４、３４  外側繊維
５０  遮光性布帛
【図１】
2011106081.tif 000003
【図２】
2011106081.tif 000004
【図３】
2011106081.tif 000005